(57)【特許請求の範囲】
【請求項１】
浴槽水を循環水路に循環させる循環ポンプと、循環水路の循環ポンプよりも下流側に設けたヒータと、循環水路の循環ポンプとヒータとの間から分岐したバイパス路と、バイパス路の途中に設けた塩素発生装置と、バイパス路を流れる浴槽水を塩素発生装置よりも下流側において浄化するためのろ過槽を備えた浴槽水循環浄化装置において、バイパス路の下流側端部が循環水路の浴槽への吐出口付近の絞り部において連通接続されて循環水路を流れる浴槽水の水流によりバイパス路を流れる浴槽水がエゼクター効果で吸引されるように構成し、循環水路の循環ポンプの上流側に手動開閉弁を設けると共にヒータの下流側で且つ絞り部よりも上流側に手動開閉弁を設け、バイパス路のろ過槽よりも下流側にろ過槽側から下流側にのみ浴槽水を流し且つ下流側からろ過槽側に浴槽水が逆流するのを阻止する逆止弁を設けて成ることを特徴とする浴槽水循環浄化装置。
【請求項２】
浴槽水を循環水路に循環させる循環ポンプと、循環水路の循環ポンプよりも下流側に設けたヒータと、循環水路の循環ポンプとヒータとの間から分岐したバイパス路と、バイパス路の途中に設けた塩素発生装置と、バイパス路を流れる浴槽水を塩素発生装置よりも下流側において浄化するためのろ過槽を備えた浴槽水循環浄化装置において、バイパス路の下流側端部が循環水路の浴槽への吐出口付近の絞り部において連通接続されて循環水路を流れる浴槽水の水流によりバイパス路を流れる浴槽水がエゼクター効果で吸引されるように構成し、循環水路の循環ポンプの上流側に手動開閉弁を設けると共にヒータの下流側で且つ絞り部よりも上流側に手動開閉弁を設け、バイパス路のろ過槽よりも下流側に弁を設け、浴槽水循環浄化装置の運転スイッチをオフにした際に、弁を閉じるように制御する制御部を設けて成ることを特徴とする浴槽水循環浄化装置。
【発明の詳細な説明】
【０００１】
【発明の属する技術分野】
本発明は、浴槽内の浴槽水を循環して浄化することで、浴槽水の長期使用を可能とする浴槽水循環浄化装置に関するものである。
【０００２】
【従来の技術】
近年、家庭用の風呂において２４時間の入浴を可能とする浴槽水循環浄化装置が提供されている。この浴槽水循環浄化装置は図９に示すようなもので、浴槽水を循環水路１に循環させる循環ポンプ２と、循環水路１の循環ポンプ２よりも下流側に設けたヒータ３と、循環水路１の循環ポンプ２とヒータ３との間から分岐したバイパス路４と、バイパス路４の途中に設けた塩素発生装置Ａと、バイパス路４を流れる浴槽水を塩素発生装置Ａよりも下流側において浄化するためのろ過槽５を備え、バイパス路４の下流側端部が循環水路１の浴槽への吐出口７付近の絞り部において連通接続されて循環水路１を流れる浴槽水の水流によりバイパス路４を流れる浴槽水がエゼクター効果で吸引して、ヒータ３で加温された浴槽水とろ過槽５により浄化された浴槽水とを合流して吐出口７からジェット噴射するようになっている。また、殺菌する際には塩素発生装置Ａで生成した塩素水をろ過槽５を経て吐出口７から浴槽内に吐出してろ過槽５、配管、浴槽６内の浴槽水を塩素水で殺菌するようになっている。
【０００３】
そして、循環水路１の両端部の吸い込み口と吐出口７とは浴槽６内の浴槽水内に浸漬してあるか又は浴槽６の側壁に接続してあり、循環ポンプ２、ヒータ３、塩素発生装置Ａ、ろ過槽５は浄化装置本体Ｂ内に内装され、この浄化装置本体Ｂは浴槽から離れた個所（例えば浴室外）に配設してある。
【０００４】
ここで、ろ過槽５内のろ材の交換やろ過槽５の保守、点検、あるいは塩素発生装置Ａにおいて発生させる塩素の原料となる食塩の補充をする場合には、浴槽水循環装置の運転スイッチをオフにした状態で行うものである。この時、浄化装置本体Ｂの外面付近において、図９に示すように循環水路１の循環ポンプ２の上流側に手動で開閉する開閉弁８が設けてあると共にヒータ３の下流側で且つ絞り部よりも上流側に開閉弁９を設けてあり、この手動開閉弁８、９を閉じた状態で、上記ろ過槽５内のろ材の交換やろ過槽５の保守、点検、あるいは塩素発生装置Ａにおいて発生させる塩素の原料となる食塩の補充をするものである。
【０００５】
ところが、浄化装置本体を浴槽から離れて設置する場合、浄化装置本体Ｂに内装したろ過槽５や塩素発生装置Ａが浴槽の水面よりも下とならないように設置するようになっているのであるが、施工現場においては浄化装置本体Ｂに内装したろ過槽５や塩素発生装置Ａが浴槽の水面よりも下に配置されることがあり、このような場合、上記ろ過槽５内のろ材５ａの交換やろ過槽５の保守、点検、あるいは塩素発生装置Ａにおいて発生させる塩素の原料となる食塩の補充を行う際に、浴槽水が図９の矢印のようにバイパス路４を介してろ過槽５や塩素発生装置Ａ側に流れてろ過槽５や塩素発生装置Ａの保守、点検、補充等のために開口した部分から溢れ出るという問題がある。
【０００６】
【発明が解決しようとする課題】
本発明は上記の従来例の問題点に鑑みて発明したものであって、その目的とするところは、浄化装置本体に内装したろ過槽や塩素発生装置が浴槽の水面よりも下に配置された場合であっても、上記ろ過槽内のろ材の交換やろ過槽の保守、点検、あるいは塩素発生装置において発生させる塩素の原料となる食塩の補充を行う際に、浴槽水がバイパス路を介してろ過槽や塩素発生装置から溢れ出るのを防止することができる浴槽水循環浄化装置を提供するにある。
【０００７】
【課題を解決するための手段】
上記課題を解決するために本発明に係る浴槽水循環浄化装置は、浴槽水を循環水路１に循環させる循環ポンプ２と、循環水路１の循環ポンプ２よりも下流側に設けたヒータ３と、循環水路１の循環ポンプ２とヒータ３との間から分岐したバイパス路４と、バイパス路４の途中に設けた塩素発生装置Ａと、バイパス路４を流れる浴槽水を塩素発生装置Ａよりも下流側において浄化するためのろ過槽５を備えた浴槽水循環浄化装置において、バイパス路４の下流側端部が循環水路１の浴槽６への吐出口７付近の絞り部７ａにおいて連通接続されて循環水路１を流れる浴槽水の水流によりバイパス路４を流れる浴槽水がエゼクター効果で吸引されるように構成し、循環水路１の循環ポンプ２の上流側に手動開閉弁８を設けると共にヒータ３の下流側で且つ絞り部７ａよりも上流側に手動開閉弁９を設け、バイパス路４のろ過槽５よりも下流側にろ過槽５側から下流側にのみ浴槽水を流し且つ下流側からろ過槽５側に浴槽水が逆流するのを阻止する逆止弁１０を設けて成ることを特徴とするものである。このような構成とすることで、ろ過槽５内のろ材の交換やろ過槽の保守、点検、あるいは塩素発生装置Ａにおいて発生させる塩素の原料となる食塩の補充を行うに当たっては、運転スイッチ１１をオフにすると共に、循環水路１の循環ポンプ２の上流側に設けた手動開閉弁８と、ヒータ３の下流側で且つ絞り部７ａよりも上流側に設けた手動開閉弁９を手動で閉じ、循環水路１から浴槽内の湯水がろ過槽５や塩素発生装置Ａ側に流入しないようにした状態で行うものであり、この場合、バイパス路４のろ過槽５よりも下流側にろ過槽５側から下流側にのみ浴槽水を流し且つ下流側からろ過槽５側に浴槽水が逆流するのを阻止する逆止弁１０を設けてあることで、ろ過槽５や塩素発生装置Ａが浴槽の水面よりも下に配置された場合であっても、逆止弁１０により浴槽内の湯水がバイパス路４からろ過槽５や塩素発生装置Ａに逆流して、ろ過槽５や塩素発生装置Ａから溢れ出ることがないようになっている。
【０００８】
また、浴槽水を循環水路１に循環させる循環ポンプ２と、循環水路１の循環ポンプ２よりも下流側に設けたヒータ３と、循環水路１の循環ポンプ２とヒータ３との間から分岐したバイパス路４と、バイパス路４の途中に設けた塩素発生装置Ａと、バイパス路４を流れる浴槽水を塩素発生装置Ａよりも下流側において浄化するためのろ過槽５を備えた浴槽水循環浄化装置において、バイパス路４の下流側端部が循環水路１の浴槽への吐出口７付近の絞り部７ａにおいて連通接続されて循環水路１を流れる浴槽水の水流によりバイパス路４を流れる浴槽水がエゼクター効果で吸引されるように構成し、循環水路１の循環ポンプ２の上流側に手動開閉弁８を設けると共にヒータ３の下流側で且つ絞り部７ａよりも上流側に手動開閉弁９を設け、バイパス路４のろ過槽５よりも下流側に弁１２を設け、浴槽水循環浄化装置の運転スイッチ１１をオフにした際に、弁１２を閉じるように制御する制御部１３を設けて成ることを特徴とするものであってもよい。このような構成とすることで、ろ過槽５内のろ材の交換やろ過槽５の保守、点検、あるいは塩素発生装置Ａにおいて発生させる塩素の原料となる食塩の補充を行うに当たっては、運転スイッチ１１をオフにすると共に、循環水路１の循環ポンプ２の上流側に設けた手動開閉弁８と、ヒータ３の下流側で且つ絞り部７ａよりも上流側に設けた手動開閉弁９を手動で閉じ、循環水路１から浴槽内の湯水がろ過槽５や塩素発生装置Ａ側に流入しないようにした状態で行うものであるが、この場合、バイパス路４のろ過槽５よりも下流側に弁１２を設け、浴槽水循環浄化装置の運転スイッチ１１をオフにした際に、弁１２を閉じるように制御する制御部１３を設けてあるので、ろ過槽５や塩素発生装置Ａが浴槽６の水面よりも下に配置された場合であっても、浴槽６内の湯水がバイパス路４からろ過槽５や塩素発生装置Ａに逆流して、ろ過槽５や塩素発生装置Ａから溢れ出ることがないようになっている。
【０００９】
【発明の実施の形態】
以下、本発明を添付図面に示す実施形態に基づいて説明する。
【００１０】
図１には本発明の装置の配管構成図の一実施形態が示してある。循環水路１は一端に吸い込み口１４を設けると共に他端に吐出口７を設けてあり、上記吸い込み口１４と吐出口７とは浴槽６内の浴槽水中に浸漬させてあるか又は浴槽６の側壁に接続してある。
【００１１】
循環水路１には上流側から下流側にかけて順に循環ポンプ２、弁１５、ヒータ３が設けてあり、また、循環水路１の循環ポンプ２よりも下流側で且つ弁１５よりも上流側からバイパス路４が分岐してあり、このバイパス路４には上流側から下流側にかけて順に弁１６、ろ過槽５、弁１２が設けてあり、バイパス路４の下流側端部は循環水路１の浴槽６への吐出口７付近に設けた絞り部７ａにおいて循環水路１に連通接続されており、循環水路１を流れる浴槽水の水流によりバイパス路４を流れる浴槽水がエゼクター効果で吸引されるように構成してある。そして、バイパス路４の下流側端部の絞り部７ａとの連通接続部分と弁１２との間に逆止弁１０が設けてある。この逆止弁１０はバイパス路４のろ過槽５よりも下流側にろ過槽５側から下流側にのみ浴槽水を流し且つ下流側からろ過槽５側に浴槽水が逆流するのを阻止するようになっている。
【００１２】
図４には逆止弁１０の一実施形態が示してある。図４に示すものはバイパス路４の一部を逆止弁付きジョイント部材３２で構成した例である。第１ジョイント部材３３の端部の嵌め込み筒部３４を第２ジョイント部材５０の嵌め込み凹部３５にパッキン３６を介して水密的に嵌め込んで接続し、嵌め込み筒部３４の端部の大径孔部３４ａ内と嵌め込み凹部３５の底部空所３５ａとで構成される空所３７内に空所３７の径よりも径が小さいボール弁３８を移動自在に納装し、大径孔部３４ａの底部からボール支持突部３４ｂを突設し、底部空所３５ａの底部に弁孔３５ｂを形成することで逆止弁付きジョイント部材３２を構成してある。上記、逆止弁付きジョイント部材３２は嵌め込み筒部３４の後端段部３４ｄを後述する洗浄装置本体Ｂの外郭を構成するケーシング５１に当てると共に第２ジョイント部材５０をねじ具３９によりケーシング５１に固着することで洗浄装置本体Ｂに取付けてある。
【００１３】
しかして、図４の矢印方向、つまり、バイパス路４の上流側から下流側に浴槽水が流れる場合には、ボール弁３８がボール支持突起３４ｂに当たり、浴槽水は空所３７内においてボール弁３８の周囲を流れてボール支持突起３４ｂ間の隙間３４ｃから下流側に流れるものである。一方、バイパス路４の下流側から上流側に浴槽水が流れる場合にはボール弁３８が弁孔３５ｂに嵌まり込んで弁孔３５ｂを閉じ弁孔３５ｂより下流側に浴槽水が流れないようになっている。
【００１４】
バイパス路４には塩素発生装置Ａが設けられるが、本実施形態においてはバイパス路４に直接塩素発生装置Ａを設けるのではなく、バイパス路４の弁１６の上流側から分岐水路１７を分岐し、この分岐水路１７に塩素発生装置Ａが設けてあり、分岐水路１７の下流側端部がバイパス路４の弁１６の下流側に連通接続してある。分岐水路１７は途中で三方弁２０を介して第１分岐水路１８と第２分岐水路１９とに更に分岐し、第１分岐水路１８の下流側端部には電解槽２１が設けられ、電解槽２１から分岐水路１７の下流側を構成する水路が導出されて該水路の下流側端部（つまり分岐水路１７の下流側端部）がバイパス路４の弁１６とろ過槽５との間に連通接続してある。第２分岐水路１９の途中に塩溶解槽２２が設けてあり、第２分岐水路１９の下流側端部が電解槽２１に連通接続してある。そして、上記三方弁２０、電解槽２１、塩溶解槽２２により塩素発生装置Ａが構成してある。
【００１５】
ここで、塩溶解槽２２には食塩が収納される。また、電解槽２１は一対の不溶性電極板よりなる電極２６を隔膜を介することなく対向配置した無隔膜タイプのものとして形成してある。ここで、電極２６を構成する電極板の形状は電解槽２１の下方まで達する長方形である。電極２６には直流電圧が印加されるようになっており、電極２６への電圧の印加は制御部１３の制御により行われる。塩溶液には塩素イオン（Ｃｌ−）が含まれているが、電解槽２１で電極２６に直流電圧を印加して塩素イオン（Ｃｌ−）の一部を電気分解すると、塩素イオン（Ｃｌ−）は塩素（Ｃｌ２）や次亜塩素酸イオン（ＣｌＯ−）に交換され、浴槽水に殺菌力を持たせることができるようになっている。
【００１６】
ろ過槽５内には中空糸膜のような精密ろ過材よりなるろ材５ａが設けてある。ろ過槽５のろ材５ａの上流側に排出管３０の一端部が接続してあり、この排出管３０の他端部と排水管２４の一端部と洗浄循環用管２５の一端部とが三方弁２３を介して接続してあり、洗浄循環用管２５の他端部は循環水路１の循環ポンプ２よりも上流側に連通接続してある。
【００１７】
上記のような浴槽水循環浄化装置において、循環ポンプ２ヒータ３、塩素発生装置Ａ、ろ過槽５、弁１２、１５、１６、三方弁２０、２３、制御部１３等は浄化装置本体Ｂ内に内装してある。浄化装置本体Ｂの外面側には運転スイッチ１１が設けてある。また、図１に示すように、循環水路１の循環ポンプ２の上流側に手動開閉弁８を設けると共にヒータ３の下流側で且つ絞り部７ａよりも上流側に手動開閉弁９を設けてある。そして、循環水路１の吸い込み口１４と吐出口７とは前述のように浴槽６内の浴槽水内に浸漬してあるか又は浴槽６の側壁に接続してあるが、浄化装置本体Ｂは浴槽６から離れた個所（例えば浴室外）に配設してある。
【００１８】
浴槽水循環浄化装置の運転に当たっては、手動開閉弁８、９は開状態にし、運転スイッチ１１をオンにして運転を行うものである。
【００１９】
浴槽水循環浄化装置の運転モードとしては、「通常循環」モード、「食塩水供給」モード、「電解」モード、「塩素水供給」モード等の諸モードがあり、運転スイッチ１１をオンにすることで制御部１３により上記諸モードを自動的に切り替えて運転が行われるようになっている。すなわち、上記モード切り換えによる各弁の切り換え、循環ポンプ２の運転、電極２６への電圧の印加等の制御が制御部１３からの信号により行われるものである。
【００２０】
ここで、本発明の浴槽水循環浄化装置は通常循環運転時には、弁１２、弁１５、弁１６をいずれも開、三方弁２０、２３をいずれも閉にして循環ポンプ２を運転するように制御されるものであり、この場合、循環ポンプ２の運転により吸い込み口１４から循環水路１に吸い込まれた浴槽水の一部がヒータ３で加温されて吐出口７側に送られ、また、浴槽水の他の一部がバイパス路４に流れ、ろ過槽５を通過する際にろ材５ａによりろ過されることで浄化されて吐出口７側に送られる。そして、循環水路１を流れる加熱された浴槽水が吐出内７付近に設けた絞り部７ａを通過する際に、バイパス路４を流れる浄化された浴槽水がエゼクター効果により循環水路１を流れる加温された浴槽水側に吸い込まれて合流し、合流した浴槽水が吐出口７から浴槽６内の浴槽水中にジェット水となって噴射されるものである。これが「通常循環モード」である。ここで、バイパス路４の下流側端部は循環水路１の浴槽６への吐出口７付近に設けた絞り部７ａにおいて循環水路１に連通接続され、循環水路１を流れる浴槽水の水流によりバイパス路４を流れる浴槽水がエゼクター効果で吸引されるようになっているので、ろ過槽５を通過して流れる浴槽水がスムーズに流れて循環流路１を流れる加温された浴槽水と合流することができて、浴槽水がろ過槽５のろ材５ａをスムーズに通過して効果的に浄化できるようになっている。そして、吐出部７から浴槽水をジェット噴射するために吐出部７の近くに設けた絞り部７ａにバイパス路４の下流側端部を連通接続することで、上記のように、ろ材５ａをスムーズに通過できるようにするに当たって別途特別な装置を必要としないものである。
【００２１】
殺菌（または制菌）運転に当っては、「食塩水供給」モード→「電解」モード→「塩素水供給」モードの順で運転するものである。すなわち、弁１２、弁１５、弁１６をいずれも開とし、三方弁２０を第２分岐路１９側のみが開となって第２分岐路１９側に浴槽水が流れるようにし、また、三方弁２３を閉にした状態で循環ポンプ２を運転することで、塩溶解槽２２から食塩水が電解槽２１に供給される（これが「食塩水供給」モードである）。このようにして電解槽２１に食塩水を供給した後、弁１２、弁１５、弁１６をいずれも開とし、三方弁２０、２３をいずれも閉とした状態で電極２６に電圧を印加して電気分解することで、塩素を発生させる（これが「電解」モードである）。この場合循環ポンプ２は運転しておく。次に、弁１２、弁１５、弁１６をいずれも開とし、三方弁２０を第１分岐路１８側のみが開となって第１分岐路１８側に浴槽水が流れるようにし、また、三方弁２３を閉にし、この状態で循環ポンプ２を運転すると電解槽２１内の塩素水がろ過槽５に供給され、ろ材５ａを通過して浴槽水と一緒に浴槽６に流れ込む（これが「塩素水供給」モードである）。このように塩素水を循環水路１に流すことで、浴槽水や装置内の病原性細菌を抑制し、不快感を与えるヌメリを取り除くものである。
【００２２】
ろ過槽５内のろ材５ａを洗浄するに当たっては、弁１２、弁１５、三方弁２０をそれぞれ閉とし、三方弁２３を排出管３０と洗浄循環用管２５とが連通するように開とし（この場合排水管２４側は閉である）、この状態で循環ポンプ２を運転することで浴槽水が循環ポンプ２→ろ過槽５のろ材５ａの上流側→排出管３０→洗浄循環用管２５→循環ポンプ２というように流れ、上記流れで循環することでろ過槽５内のろ材５ａを洗浄するものである。次に、弁１２、弁１５、三方弁２０をそれぞれ閉とし、三方弁２３を排出管３０と排水管２４とが連通するように切り換え（この場合、洗浄循環用管２５側は閉である）、この状態で循環ポンプ２を運転することで上記ろ材５ａを洗浄して汚れた洗浄水が排水管２４から外部に排水されるものである。
【００２３】
ところで、ろ過槽５内のろ材５ａの交換やろ過槽５の保守、点検、あるいは塩素発生装置Ａに設けた塩溶解槽２２内への食塩の補充を行う場合には、浴槽水循環装置の運転スイッチ１１をオフにすると共に洗浄装置本体Ｂの外面側に位置させた手動開閉弁８、９を手動で閉じた後、ろ過槽５内のろ材５ａの交換やろ過槽５の保守、点検、あるいは塩素発生装置Ａにおいて発生させる塩素の原料となる食塩の補充をするものである。
【００２４】
この場合、洗浄装置本体Ｂが浴槽６から離れた個所に設置してあっても、吸い込み口１４と吐出口７とを両端部に有する循環水路１は洗浄装置本体Ｂの外面に設けた手動開閉弁８、９を手で閉じることで、循環水路１を通して浴槽６内の浴槽水が交換や保守、点検、あるいは補充のために蓋を開けたろ過槽５の上開口や、塩溶解槽２２の上開口から溢れ出ることはない。
【００２５】
しかしながら、浴槽６から離れた個所に浄化装置本体Ｂを設置した場合、浄化装置本体Ｂに内装したろ過槽５や塩素発生装置Ａが浴槽６の水面よりも下位置となるように設置してしまう場合があり、この場合には水頭圧により浴槽水がバイパス路４の上流側からろ過槽５や塩溶解槽２２側に逆流することになる。しかしながら本実施形態においては、バイパス路４のろ過槽５よりも下流側にろ過槽５側から下流側にのみ浴槽水を流し且つ下流側からろ過槽５側に浴槽水が逆流するのを阻止する逆止弁１０を設けてあるので、ろ過槽５や塩素発生装置Ａが浴槽の水面よりも下に配置された場合であっても、逆止弁１０により浴槽６内の湯水がバイパス路４からろ過槽５や塩溶解槽２２に逆流して、ろ過槽５や塩溶解槽２２から溢れ出るのを防止できるのである。
【００２６】
本実施形態によれば、新設の浴槽水循環浄化装置に逆止弁１０を設けるだけでなく、すでに設置済みの既設の浴槽水循環浄化装置であっても、バイパス路４に逆止弁１０を取付けるだけで、ろ過槽５内のろ材５ａの交換やろ過槽５の保守、点検、あるいは塩素発生装置Ａにおいて発生させる塩素の原料となる食塩を補充する際に浴槽６内の浴槽水が逆流して溢れるのを防止できるものである。
【００２７】
ところで、ろ過槽５を浄化装置本体Ｂに取付けたり、外したりするに当たっては例えば、次のようにして行う。すなわち、図５、図６、図７に示すように、ろ過槽５の底面部からＯリング４１を設けた接続筒部４２を垂設し、更にろ過槽５の底面部に弾性を有する固定金具４３の上端部を取付けて、固定金具４３を接続筒部４２の外側に位置させ、接続筒部４２を浄化装置本体Ｂに設けたバイパス路４の一部を構成するろ過槽継手４０に水密的に嵌め込み、固定金具４３に設けた係止孔４４をろ過槽継手４０の上端部のフランジ部４５に弾性的に係止することで取付けるものであり、取り外す場合には固定金具４３の下部を外側にずらして広げることで係止を解除して外すことができる。ここで、固定金具４３の下端部を下方程外側に位置するように傾斜したガイド片４３ａを設けておくと、取付けの際に上方から挿入するときガイド片４３ａがガイドとなってフランジ部４５に当たりながらガイドしてスムーズに係止でき、また、取り外す際には傾斜したガイド片４３ａを指で摘んで外側にずらして広げることができるものである。
【００２８】
次に、図８に基づいて本発明の他の実施形態につき説明する。
【００２９】
図８に示す本実施形態の浴槽水循環浄化装置は図１に示す浴槽水循環浄化装置における配管構造、運転モード、その制御と同じであるので、重複する説明は省略し、異なる点のみ説明する。すなわち、図１に示す実施形態においては、循環水路１を通して浴槽６内の浴槽水が交換や保守、点検、あるいは補充の際に、ろ過槽５の上開口や、塩溶解槽２２の上開口から溢れ出ないようにするに当たって、バイパス路４のろ過槽５よりも下流側に逆止弁１０を設けた例につき説明したが、本実施形態においては、図１のように逆止弁１０を設けることなく、バイパス路４のろ過槽５よりも下流側に本来的に備わっている弁１２を浴槽水循環浄化装置の運転スイッチ１１をオフにした際に自動的に閉じるように制御部１３により制御するように構成した点に特徴がある。
【００３０】
しかして、本実施形態においては、ろ過槽５内のろ材の交換やろ過槽の保守、点検、あるいは塩素発生装置Ａにおいて発生させる塩素の原料となる食塩の補充を行うに当たっては、運転スイッチ１１をオフにすると共に、更に、循環水路１の循環ポンプ２の上流側とヒータ３の下流側とにそれぞれ設けた手動開閉弁８、９を手動で閉じ、循環水路１から浴槽内の湯水がろ過槽５や塩素発生装置Ａ側に流入しないようにした状態で行うものであるが、この場合、運転スイッチ１１をオフにすると弁１２が自動的に閉じるので、ろ過槽５や塩素発生装置Ａが浴槽の水面よりも下に配置された場合であっても、浴槽内の湯水がバイパス路４からろ過槽５や塩溶解槽２２側に逆流して、ろ過槽５や塩溶解槽２２から溢れ出ることがないのである。
【００３１】
この実施形態においては図１の実施形態のように別途逆止弁を設ける必要がないものである。
【００３２】
【発明の効果】
上記の請求項１記載の本発明にあっては、バイパス路の下流側端部が循環水路の浴槽への吐出口付近の絞り部において連通接続されて循環水路を流れる浴槽水の水流によりバイパス路を流れる浴槽水がエゼクター効果で吸引されるように構成し、循環水路の循環ポンプの上流側に手動開閉弁を設けると共にヒータの下流側で且つ絞り部よりも上流側に手動開閉弁を設け、バイパス路のろ過槽よりも下流側にろ過槽側から下流側にのみ浴槽水を流し且つ下流側からろ過槽側に浴槽水が逆流するのを阻止する逆止弁を設けてあるので、ろ過槽内のろ材の交換やろ過槽の保守、点検、あるいは塩素発生装置において発生させる塩素の原料となる食塩の補充を行うに当たって、ろ過槽や塩素発生装置が浴槽の水面よりも下に配置された場合であっても、逆止弁により浴槽内の湯水がバイパス路からろ過槽や塩素発生装置に逆流して、ろ過槽や塩素発生装置から溢れ出ることがなく、交換、保守、点検、補充等の作業が簡単にでき、また、周囲を溢れ出る浴槽水で濡らすことがないものであり、また、逆止弁を設けるのみでよいので、既設の浴槽水循環浄化装置であっても、バイパス路に逆止弁を取付けるのみで上記のような水漏れ防止効果を簡単に発揮できるのである。
【００３３】
また、請求項２記載の発明にあっては、バイパス路の下流側端部が循環水路の浴槽への吐出口付近の絞り部において連通接続されて循環水路を流れる浴槽水の水流によりバイパス路を流れる浴槽水がエゼクター効果で吸引されるように構成し、循環水路の循環ポンプの上流側に手動開閉弁を設けると共にヒータの下流側で且つ絞り部よりも上流側に手動開閉弁を設け、バイパス路のろ過槽よりも下流側に弁を設け、浴槽水循環浄化装置の運転スイッチをオフにした際に、弁を閉じるように制御する制御部を設けてあるので、ろ過槽内のろ材の交換やろ過槽の保守、点検、あるいは塩素発生装置において発生させる塩素の原料となる食塩の補充を行うに当たっては、運転スイッチをオフにすると共に、循環水路の循環ポンプの上流側に設けた手動開閉弁と、ヒータの下流側で且つ絞り部よりも上流側に設けた手動開閉弁を手動で閉じて作業を行うことができる。この場合、運転スイッチをオフにすると、バイパス路の浄化槽の下流の弁が自動的に閉じるように制御され、ろ過槽や塩素発生装置が浴槽の水面よりも下に配置された場合であっても、浴槽内の湯水がバイパス路からろ過槽や塩素発生装置に逆流して、ろ過槽や塩素発生装置から溢れ出ることがないものであり、また、バイパス路の浄化槽の下流側に本来備わっている弁を利用して簡単な構成で上記浴槽水の逆流防止が図れるものである。
【図面の簡単な説明】
【図１】本発明の一実施形態の配管構成図である。
【図２】同上の浄化装置本体の断面図である。
【図３】同上の吐出口部分の断面図である。
【図４】同上の逆止弁の一例を示す断面図である。
【図５】同上のろ過槽の断面図である。
【図６】（ａ）は同上のろ過槽をろ過槽継手に接続する前の正面図であり、（ｂ）は接続状態の正面図である。
【図７】同上に使用する固定金具を示し、（ａ）は平面図であり、（ｂ）は側面図であり、（ｃ）は正面図である。
【図８】本発明の他の実施形態の配管構成図である。
【図９】従来例を示す配管構成図である。
【符号の説明】
Ａ  塩素発生装置
Ｂ  浄化装置本体
１  循環水路
２  循環ポンプ
３  ヒータ
４  バイパス路
５  ろ過槽
６  浴槽
７  吐出口
７ａ  絞り部
８  手動開閉弁
９  手動開閉弁
１０  逆止弁
１１  運転スイッチ
１２  弁
１３  制御部
【図１】
0003584764.tif 000002
【図２】
0003584764.tif 000003
【図３】
0003584764.tif 000004
【図４】
0003584764.tif 000005
【図５】
0003584764.tif 000006
【図６】
0003584764.tif 000007
【図７】
0003584764.tif 000008
【図８】
0003584764.tif 000009
【図９】
0003584764.tif 000010